(57)【要約】【課題】  ストライカ取付部における強度・剛性の向上を図ることができ、部品納入時における部品の撓み変形を防止することができるような後部車体構造を提供する。【解決手段】  空間部βの開放箇所に対応するドア対向車体パネル（例えば、バックピラーパネル４）及び艤装部品取付パネル（例えば、後部ランプ取付パネル５）の部分Ｍ，Ｎを互いに繋げるストライカリテーナ補強部材２５を設け、ドア対向車体パネル４と、艤装部品取付パネル５と、ストライカリテーナ補強部材２５とにより閉断面形状部Ｒを形成する。【選択図】        図３
2006281824.tif 000002
【特許請求の範囲】
【請求項１】
ストライカが取付けられるドア対向車体パネルと、艤装部品が取付けられる艤装部品取付パネルとを互いに接合して、前記ドア対向車体パネル及び前記艤装部品取付パネルの接合部に対向する側が開放された断面凹状でかつ内部に空間部が形成されるように前記ドア対向車体パネル及び前記艤装部品取付パネルを屈曲させると共に、前記ドア対向車体パネルに沿ってストライカ補強部材を設け、前記ドア対向車体パネル及び前記ストライカ補強部材を挟んで前記ストライカとストライカリテーナとを配置して前記ストライカを前記空間部に対応する箇所で前記ドア対向車体パネルに取付けるようにした車体後部構造において、前記空間部の開放箇所に対応する前記ドア対向車体パネル及び前記艤装部品取付パネルの部分を互いに繋げるストライカリテーナ補強部材を設け、前記ドア対向車体パネルと、前記艤装部品取付パネルと、前記ストライカリテーナ補強部材とにより閉断面形状部を形成するようにしたことを特徴とする車体後部構造。
【請求項２】
前記ストライカリテーナ補強部材を、前記ドア対向車体パネル及び前記ストライカ補強部材に沿って配置して、前記ドア対向車体パネル及び前記ストライカ補強部材と一緒に前記ストライカと前記ストライカリテーナとの間に挟持するようにしたことを特徴とする請求項１に記載の車体後部構造。
【請求項３】
前記ストライカリテーナ補強部材のうち前記ドア対向車体パネルと前記艤装部品取付パネルとの間に延びる部分を、前記ドア対向車体パネル及び前記ストライカ補強部材から離反する方向に屈曲させた屈曲片部とし、前記空間部の開放箇所において前記艤装部品取付パネルを前記ドア対向車体パネルよりも長く設定して前記接合部とは反対側に延出させると共に、前記ストライカリテーナ補強部材の屈曲片部を前記ドア対向車体パネルの側から前記艤装部品取付パネルの延出方向の側に傾斜させた状態で配置するようにしたことを特徴とする請求項１又は２に記載の車体後部構造。
【請求項４】
前記ドア対向車体パネルのドア厚み方向に面して前記ストライカ及び通路空間を並べて設け、それらの並びに対応させて前記空間部をドア厚み方向に長くかつドアの面方向に狭く形成したこと請求項３に記載の車体後部構造。
【請求項５】
前記ドア対向車体パネルと、前記艤装部品取付パネルと、前記ストライカ補強部材と、前記ストライカリテーナ補強部材とを、前記空間部の周囲において重ね合わせた状態で溶接により一体化したことを特徴する請求項１乃至４の何れか１項に記載の車体後部構造。
【請求項６】
前記ドア対向車体パネルの形状を、ほぼ矩形状の外形を有するドアの一つの周縁に沿って延びるような長尺形状とし、前記空間部を、前記ドア対向車体パネルの長手方向に長さの半分以上にわたって延びかつドア構成面とオーバーラップするように形成したことを特徴とする請求項１乃至５の何れか１項に記載の車体後部構造。
【請求項７】
前記ストライカ補強部材を、ドアシャットストッパの配設位置に重なるように接合方向に沿って上下に長く延びるように形成し、前記ストライカリテーナ補強部材を、前記ストライカの上下近傍位置のみに設けるようにしたことを特徴とする請求項１乃至７の何れか１項に記載の車体後部構造。
【発明の詳細な説明】
【技術分野】
【０００１】
本発明は、自動車の後部車体構造に関し、さらに詳しくは、例えば自動車のバックドア（荷室ドア）を係止するストライカの取付部を補強するための車体後部構造に関するものである。
【背景技術】
【０００２】
自動車の荷室ドアとしては、横開き式のバックドアがある。図４は、この種の横開き式のバックドアを備える自動車の荷室ドアストライカ部周辺の車体後部構造を示すものである。図４に示すように、従来の車体後部構造では、バックドア（荷室ドア）ストライカリテーナ１は、リテーナケース２により、ストライカ補強部材３に取付けた上で、バックピラーパネル４に接合されている。そして、バックピラーパネル４には、ストライカ補強部材３を介して後部ランプ取付パネル５が結合されている。なお、このようして組付けて成る部品の断面形状は、図５に示すような形状となされている。すなわち、図５に示すように、バックピラーパネル４の端縁４ａと後部ランプ取付パネル５の端縁５ａとがストライカ補強部材３の端縁３ａを挟んで互いに接合され、この接合部αに対向する側が開放された断面凹状でかつ内部に空間部βが形成されるようにバックピラーパネル４及び後部ランプ取付パネル５が屈曲されている。かくして、車体組立納入時には、バックピラーパネル４と後部ランプ取付パネル５とが接合された１つの部品として運搬されるようになっている。
【０００３】
一方、車体組立に際しては、図５に示すように、バックピラーパネル４がサイドインナパネル６に結合されると共に、後部ランプ取付パネル５がサイドアウタパネル７に結合される。そして、バックドアストライカリテーナ１を利用してバックドア８用のストライカ９がバックピラーパネル４に取付けられると共に、後部ランプ取付パネル５に後部ランプ１０が取付けられるようになっている。また、バックピラーパネル４とサイドインナパネル６との接合部に形成されたフランジ１１にシール部材１２が取付けられるようになっている。
【発明の開示】
【発明が解決しようとする課題】
【０００４】
しかしながら、上述の如き従来の車体後部構造にあっては、バックピラーパネル４及び後部ランプ取付パネル５を一体にして成る部品が図５に示すような断面構造を採っているため、図５において矢印Ａ，Ｂでそれぞれ示す方向の力、すなわち、前記空間部βの開放側の部分が互いに近づくように倒れ込む方向（空間部βを狭める方向）の力に対して、構造的に弱く、部品納入時（運搬時）に矢印Ａ，Ｂ方向への撓み（倒れ込み）による変形が生じるおそれがある。また、従来の車体後部構造では、車両完成後のバックドア開閉時に、バックピラーパネル４のストライカ取付面（図６において斜線で示す部分）１３に対して、負荷がかかるが、上述の如く矢印Ａ，Ｂ方向の力に弱い構造であるため、強度・剛性が問題となる場合がある。
【０００５】
本発明は、上述の如き実状に鑑みてなされたものであって、その目的は、ストライカ取付部における強度・剛性の向上を図ることができ、部品納入時（運搬時）における部品の撓み変形を防止することができるような後部車体構造を提供することにある。
【課題を解決するための手段】
【０００６】
上述の目的を達成するために、本発明では、ストライカが取付けられるドア対向車体パネルと、艤装部品が取付けられる艤装部品取付パネルとを互いに接合して、前記ドア対向車体パネル及び前記艤装部品取付パネルの接合部に対向する側が開放された断面凹状でかつ内部に空間部が形成されるように前記ドア対向車体パネル及び前記艤装部品取付パネルを屈曲させると共に、前記ドア対向車体パネルに沿ってストライカ補強部材を設け、前記ドア対向車体パネル及び前記ストライカ補強部材を挟んで前記ストライカとストライカリテーナとを配置して前記ストライカを前記空間部に対応する箇所で前記ドア対向車体パネルに取付けるようにした車体後部構造において、前記空間部の開放箇所に対応する前記ドア対向車体パネル及び前記艤装部品取付パネルの部分を互いに繋げるストライカリテーナ補強部材を設け、前記ドア対向車体パネルと、前記艤装部品取付パネルと、前記ストライカリテーナ補強部材とにより閉断面形状部を形成するようにしている。
また、本発明では、前記ストライカリテーナ補強部材を、前記ドア対向車体パネル及び前記ストライカ補強部材に沿って配置して、前記ドア対向車体パネル及び前記ストライカ補強部材と一緒に前記ストライカと前記ストライカリテーナとの間に挟持するようにしている。
また、本発明では、前記ストライカリテーナ補強部材のうち前記ドア対向車体パネルと前記艤装部品取付パネルとの間に延びる部分を、前記ドア対向車体パネル及び前記ストライカ補強部材から離反する方向に屈曲させた屈曲片部とし、前記空間部の開放箇所において前記艤装部品取付パネルを前記ドア対向車体パネルよりも長く設定して前記接合部とは反対側に延出させると共に、前記ストライカリテーナ補強部材の屈曲片部を前記ドア対向車体パネルの側から前記艤装部品取付パネルの延出方向の側に傾斜させた状態で配置するようにしている。
また、本発明では、前記ドア対向車体パネルのドア厚み方向に面して前記ストライカ及び通路空間を並べて設け、それらの並びに対応させて前記空間部をドア厚み方向に長くかつドアの面方向に狭く形成するようにしている。
また、本発明では、前記ドア対向車体パネルと、前記艤装部品取付パネルと、前記ストライカ補強部材と、前記ストライカリテーナ補強部材とを、前記空間部の周囲において重ね合わせた状態で溶接により一体化するようにしている。
また、本発明では、前記ドア対向車体パネルの形状を、ほぼ矩形状の外形を有するドアの一つの周縁に沿って延びるような長尺形状とし、前記空間部を、前記ドア対向車体パネルの長手方向に長さの半分以上にわたって延びかつドア構成面とオーバーラップするように形成するようにしている。
また、本発明では、前記ストライカ補強部材を、ドアシャットストッパの配設位置に重なるように接合方向に沿って上下に長く延びるように形成し、前記ストライカリテーナ補強部材を、前記ストライカの上下近傍位置のみに設けるようにしている。
【発明の効果】
【０００７】
請求項１に記載の本発明は、空間部の開放箇所に対応するドア対向車体パネル及び艤装部品取付パネルの部分を互いに繋げるストライカリテーナ補強部材を設け、ドア対向車体パネルと、艤装部品取付パネルと、ストライカリテーナ補強部材とにより閉断面形状部を形成するようにしたものであるから、ストライカリテーナ補強部材を配設したことに伴いドア対向車体パネル及び艤装部品取付パネルの撓みを防止することができると共に、強度・剛性の向上を図ることができ、ひいては部品の形状変化を生じることなく部品形状（部品精度）を良好に保つことができる。
【０００８】
また、請求項２に記載の本発明は、ストライカリテーナ補強部材を、ドア対向車体パネル及びストライカ補強部材に沿って配置して、ドア対向車体パネル及びストライカ補強部材と一緒にストライカとストライカリテーナとの間に挟持するようにしたものであるから、このような配置構成により、ドア側からストライカを経て加わる荷重に対して、強度・剛性を高くすることができる。
【０００９】
また、請求項３に記載の本発明は、ストライカリテーナ補強部材のうちドア対向車体パネルと艤装部品取付パネルとの間に延びる部分を、ドア対向車体パネル及びストライカ補強部材から離反する方向に屈曲させた屈曲片部とし、空間部の開放箇所において艤装部品取付パネルをドア対向車体パネルよりも長く設定して接合部とは反対側に延出させると共に、ストライカリテーナ補強部材の屈曲片部をドア対向車体パネルの側から艤装部品取付パネルの延出方向の側に傾斜させた状態で配置するようにしたものであるから、車両前後方向に一致するストライカへの荷重の作用方向に対して、車両側部の外方のサイドボディまで、なだらかにつなげることができ、十分な強度・剛性を確保することができる。
【００１０】
また、請求項４に記載の本発明は、ドア対向車体パネルのドア厚み方向に面してストライカ及び通路空間を並べて設け、それらの並びに対応させて空間部をドア厚み方向に長くかつドアの面方向に狭く形成するようにしたものであるから、ドア開閉方向のドア対向車体パネルの長さを長くとることとなるので、十分な強度・剛性を確保することができる。また、ドア対向車体パネルと艤装部品取付パネルとを組付けて成る部品が扁平であっても艤装部品の収容空間を特に大きく形成することが可能となる。
【００１１】
また、請求項５に記載の本発明は、ドア対向車体パネルと、艤装部品取付パネルと、ストライカ補強部材と、ストライカリテーナ補強部材とを、空間部の周囲において重ね合わせた状態で溶接により一体化するようにしたものであるから、バックピラーアッセンブリ（バックピラー組立部品）として、部組み後に搬送などを伴っても、閉断面空間で高い剛性を得ているので、何らかの外力によって変形することがなく、車体完成時まで高い精度を保つことができる。
【００１２】
また、請求項６に記載の本発明は、ドア対向車体パネルの形状を、ほぼ矩形状の外形を有するドアの一つの周縁に沿って延びるような長尺形状とし、空間部を、ドア対向車体パネルの長手方向に長さの半分以上にわたって延びかつドア構成面とオーバーラップするように形成するようにしたものであるから、ストライカを支持し、かつ、荷重方向に一致する面の全体の剛性を高くすることができる。また、前記空間部は幅方向に扁平なので、ドア周縁の外方に艤装部品の収容空間を大きくとることができる。
【００１３】
また、請求項７に記載の本発明は、ストライカ補強部材を、ドアシャットストッパの配設位置に重なるように接合方向に沿って上下に長く延びるように形成し、ストライカリテーナ補強部材を、ストライカの上下近傍位置のみに設けるようにしたものであるから、ストライカだけでなく、シャットストッパからの荷重もストライカリテーナ補強部材に直接的に伝えることができる。さらに、振動に対する支持剛性も高くすることができる。
【発明を実施するための最良の形態】
【００１４】
以下、本発明の一実施形態に係る車体後部構造について図１〜図３を参照して説明する。なお、図１〜図３において、図４〜図６と同様の部分には同一の符号を付して重複する説明を省略する。
【００１５】
図１は、本発明の一実施形態に係る車体後部構造であって、横開き式のバックドア（荷室ドア）８を備える自動車２０の車体後部構造を示している。なお、本実施形態の車体後部構造は、バックドア用開口２１に配設されるストライカ９の外方側に後部ランプ（コンビネーションランプ）１０の収容空間を備えるタイプのものである。
【００１６】
図１に示すように、自動車２０の後部にはバックドア用開口２１が設けられており、このバックドア用開口２１の右辺部２２に取付けられたヒンジ（図示せず）を回動中心としてバックドア（図１では図示せず）が横開き可能に取付けられている。そして、バックドア用開口２１の左辺部２３にはストライカ９が取付けられており、このストライカ９にバックドアのラッチ部材（図示せず）が係止されるようになっている。さらに具体的に述べると、上述のストライカ９は、後部ランプ取付パネル５（艤装部品取付パネルの一種）に隣接するバックピラーパネル４（ドア対向車体パネルの一種）にストライカリテーナ１及びリテーナケース２を用いてストライカ補強部材３と一緒に取付けられるようになっている。
【００１７】
ここで、ストライカ９の取付部並びに後部ランプ（コンビネーションランプ）１０の取付部の補強構造について述べると、次の通りである。
【００１８】
まず、本実施形態では、２つの構成パネル５1，５2（図２及び図３参照）を互いに溶接結合することにより１つの部品としての後部ランプ取付パネル５が構成されている。そして、図３に示すように、バックピラーパネル４の端縁４ａと後部ランプ取付パネル５の端縁５ａとが、互いに接合状態でスポット溶接などにより結合され、これらの端縁４ａ，５ａの接合部αに対向する側が開放された断面凹状でかつ内部に空間部βが形成されるようにバックピラーパネル４及び後部ランプ取付パネル５が屈曲されている。なお、空間部βは、バックピラー組立体の内部空間であって、その長手方向である上下に沿ってかつ車体前後方向に高さを持って延びる所定厚さを有する縦壁状の構造部の内部空間である。縦壁の上端近傍は、サイドボディの窓ガラス収容空間から延びる面上に交差するように繋がっており、縦壁の下端近傍は、バックバックドア用開口２１の下縁付近にあり、後部バンパの背面のパネルに繋がっている（図示省略）。そして、バックピラーパネル４の幅方向内側の端縁４ｂがサイドインナパネル６に結合される一方、バックピラーパネル４の幅方向外側の端縁４ａのうち上半部がサイドアウタパネル７に結合されると共に（図示省略）、その下半部がランプ取付パネル５に結合されている（図２参照）。また、後部ランプ取付パネル５の幅方向外側の端縁５ｂは、サイドアウタパネル７に結合されている。
【００１９】
一方、本実施形態で用いられるストライカ補強部材３は、断面がクランク状に屈曲された側面視でほぼ矩形をなす金属板であり、その大半の面が、図３に示す如くバックピラーパネル４に密着状態で組付けられるようになっている。
【００２０】
さらに、本実施形態の車体後部構造には、図２及び図３に示すように、空間部βの開放箇所に対応するバックピラーパネル４及び後部ランプ取付パネル５の部分Ｍ，Ｎを互いに繋げるストライカリテーナ補強部材２５が設けられている。具体的には、ストライカリテーナ補強部材２５は、バックピラーパネル４及び後部ランプ取付パネル５の構成パネル５1に沿って配置され、バックピラーパネル４及びストライカ補強部材３と一緒にストライカ９とストライカリテーナ１との間に挟み込まれた状態で共締め固定されると共に、後部ランプ取付パネル５の構成パネル５1に溶接などにて結合されている。そして、上述のストライカリテーナ補強部材２５のうちバックピラーパネル４と後部ランプ取付パネル５との間に延びる部分が、バックピラーパネル４及びストライカ補強部材３から離反する方向に屈曲されてバックピラーパネル４とストライカ補強部材３との間に掛け渡された屈曲片部２５ａとして配置されており、比較的小さいテンションとコンプレッションの荷重を受けるように構成されている。なお、このストライカリテーナ補強部材２５は、後部ランプ１０の取付位置の高さ方向の中心と同等の高さ位置に配置され、上下に長い空間部βの真中付近を局部的に支持するように配置されている。
【００２１】
また、空間部βの開放箇所において後部ランプ取付パネル５がバックピラーパネル４よりも長く設定されて接合部αとは反対側に延出されると共に、ストライカリテーナ補強部材２５の屈曲片部２５ａがバックピラーパネル４の側から後部ランプ取付パネル５の延出方向の側に傾斜された状態で配置されている。かくして、バックピラーパネル４と、後部ランプ取付パネル５の構成パネル５1と、ストライカリテーナ補強部材２５とにより閉断面形状部Ｒが構成されている。
【００２２】
また、バックピラーパネル４とサイドドアインナパネル６の接合部に形成されたフランジ１１はシール部材１２にて覆われており、バックドア８が閉められた時（閉扉時）にはバックドア８の一部に上述のシール部材１２が適度な弾性をもって当接されるように構成されている。すなわち、シール部材１２は、バックドア８と弾接してシール面の一部を形成するように配置され、バックドア８が閉められた時には、ドアパネルとガラス，サイドボディ，及び後部ランプにより覆われてしまうので、シール部材１２が意匠面を構成することは殆どない（シール部材１２が見えるのは、バックドア８が開けられた時にのみである）。かくして、バックドア８が閉められた状態の下では、バックピラーパネル４と，シール部材１２，及びバックドア８によって取り囲まれた通路空間Ｓ（すなわち、上下方向に延びる雨樋構造部）が形成されるようになっている。従って、バックピラーパネル４のドア厚み方向に面してストライカ９及び通路空間Ｓが並べて設けられており、それらの並びに対応させて空間部βがバックドアの厚み方向に長くかつバックドア８の面方向に狭く形成されている。なお、ルーフにかかる雨水などは、主にバックドア周縁を経て排出されるが、バックドア８（ドアインナパネル）とバックピラーパネル４との間で、上縁から左右に振り分けられ、両側付近を樋のような通路空間として利用して、下方から車外に排出されるように構成されている。この樋としての通路空間Ｓは、上述の如くバックドア８とバックピラーパネル４との間で、シール部材を介在するなどして形成されるものであり、車体表面の意匠面よりは内側に配設される。
【００２３】
さらに、バックピラーパネル４と、後部ランプ取付パネル５と、ストライカ補強部材３と、ストライカリテーナ補強部材２５とは、空間部βの周囲において重ね合わせられた状態の下で溶接により一体化されている。そして、バックピラーパネル４と、ストライカ補強部材３と、ストライカリテーナ補強部材２５との３つのパネルを密着して重ね合わせた部分に、ストライカリテーナ１及びリテーナケース２とを利用することにより、ストライカ９がバックピラーパネル４に締着固定されている。
【００２４】
一方、バックピラーパネル４の形状は、ほぼ矩形状の外形を有するドアの一つの周縁に沿って延びるような長尺形状となされており、上述の空間部βが、バックピラーパネル４の長手方向に長さの半分以上にわたって延びかつドア構成面とオーバーラップするように形成されている。
【００２５】
また、バックピラーパネル４には、バックドア８を閉める際の荷重受として機能すると共に閉扉状態でのバックドア８の振動を防止する役目を果たすドアシャットストッパ２６が、図２に示すようにストライカ９と少し距離をおいた下方箇所に取付けられている。なお、ドアシャットストッパ２６としては、例えば、金属のガイド片，防振ゴム，樹脂などが使われる。そして、ストライカ補強部材３が、上述のドアシャットストッパ２６の配設位置に重なるように接合方向に沿って上下に長く延びるように形成されており、ストライカリテーナ補強部材２５が、ストライカ９の上下近傍位置のみに設けられている。
【００２６】
上述の後部ランプ取付パネル５には、後部ランプ１０がボルト等による締結によって取付固定され、この後部ランプ１０のワイヤハーネス（リード線）が後部ランプ取付パネル５の構成パネル５2に形成された開口２７（図３参照）に挿通されるようになっている。なお、本実施形態の車体後部構造にあっては、後部ランプ１０の大型化や形状の複雑化に伴い、後部ランプ取付パネル５も大型化、並びに、形状の複雑化に対応している。特に、後部ランプ１０は、外観性向の理由から、レンズ面のサイドボディヘの回り込みが大きくなり、これに付随して、サイドボディ内部空間への張り出しが大きくなっているため、車体パネルは、対応する凹部（後部ランプ収容用凹部）が大きく構成されている。この場合、上述の後部ランプ取付パネル５は、空間部βに沿う屈曲部の近傍で構成パネル５1，５2に分割されており、重ね合わせ溶接Ｗにより高い剛性で一体化されている。なお、後部ランプ取付パネル５へのボルト等による後部ランプ１０の取付位置は、長手方向（車両上下方向）の端部であり、後部ランプ取付パネル５の上下に離間しており、かつストライカ取付位置からも離間した位置となっている。
【００２７】
このような構成の車体後部構造によれば、空間部βの開放箇所に対応するバックピラーパネル４及び後部ランプ取付パネル５の部分Ｍ，Ｎを互いに繋げるストライカリテーナ補強部材２５を設けたことにより、空間部Ｓの近傍箇所の車体部分の強度・剛性を充分に確保することができると共に、後部ランプ取付部の強度・剛性を高くすることができ、大型の後部ランプ１０を取付けることが可能となる。
【００２８】
以上、本発明の一実施形態について述べたが、本発明はこの実施形態に限定されるものではなく、本発明の技術的思想に基づいて各種の変形及び変更が可能である。例えば、本発明は、バックピラーパネル４以外の種々のドア対向車体パネル、並びに、後部ランプ取付パネル５以外の種々の艤装部品取付パネルの場合にも適用可能であることは言う迄もない。具体的には、後部ランプ取付パネル５ではなく、他の樹脂製の装飾部品（例えば、ガーニッシュ、オーナメントなど）といった艤装部品を取付けるパネルであっても本発明を適用可能である。また、ガードやバンパといった着脱可能な艤装部品（車体部品）でも同様である。
【図面の簡単な説明】
【００２９】
【図１】本発明の一実施形態に係る車体後部構造を示す斜視図である。
【図２】図１の車体後部構造の要部の分斜視図である。
【図３】図１におけるＸ−Ｘ線拡大断面図である。
【図４】従来の車体後部構造の要部の分解斜視図である。
【図５】図４におけるＹ−Ｙ線拡大断面図である。
【図６】ストライカ取付部を示す斜視図である。
【符号の説明】
【００３０】
１  バックドアストライカリテーナ
２  リテーナケース
３  ストライカ補強部材
４  バックピラーパネル（ドア対向車体パネル）
５  後部ランプ取付パネル（艤装部品取付パネル）
５1，５2  構成パネル
６  サイドインナパネル
７  サイドアウタパネル
８  バックドア
９  ストライカ
１０  後部ランプ（艤装部品）
２０  自動車
２５  ストライカリテーナ補強部材
２５ａ  屈曲片部
２６  ドアシャットストッパ
Ｍ，Ｎ  部分
Ｒ  閉断面形状部
Ｓ  通路空間
α  接合部
β  空間部
【図１】
2006281824.tif 000003
【図２】
2006281824.tif 000004
【図３】
2006281824.tif 000005
【図４】
2006281824.tif 000006
【図５】
2006281824.tif 000007
【図６】
2006281824.tif 000008